(57)【特許請求の範囲】
【請求項１】
すぐ背後に他の壁が存在して室外側に壁パネル同士の連結のための作業スペースを確保できないパネル連結式の壁の構造であって、隣り合う壁パネルの相対向する周面部間に、連結用の溝型材が、その開口を室内側に向けて介在配置され、この溝型材の中間板部を挟む両側板部がそれぞれ各壁パネルの周面部に結合されて壁パネル同士が連結され、かつ、前記溝形材の開口は、壁仕上げ材で隠蔽され、壁仕上げ材の背部の溝形材の溝内空間部が、壁仕上げ材への金物の取付けのための突出に用いられていることを特徴とするパネル連結式の壁の構造。
【請求項２】
すぐ背後に他の壁が存在して室外側に壁パネル同士の連結のための作業スペースを確保できないパネル連結式の壁の構造であって、隣り合う壁パネルの相対向する周面部間に、連結用の溝型材が、その開口を室内側に向けて介在配置され、この溝型材の中間板部を挟む両側板部がそれぞれ各壁パネルの周面部に結合されて壁パネル同士が連結され、かつ、前記溝形材の開口は、壁仕上げ材で隠蔽され、壁仕上げ材の背部の溝形材の溝内空間部が、壁仕上げ材への電気コンセントの取付けのための突出に用いられ、溝内空間部を利用して該コンセントのための配線が通されていることを特徴とするパネル連結式の壁の構造。
【請求項３】
前記溝形材の開口が、該開口を覆いうる狭幅の溝内空間部隠蔽専用の帯状壁仕上げ材で隠蔽されている請求項１又は２に記載のパネル連結式の壁の構造。
【発明の詳細な説明】
【０００１】
【発明の属する技術分野】
本発明は、建築分野等において用いられるパネル連結式の壁の構造に関する。
【０００２】
【従来の技術】
例えばプレファブ式の建築構造における壁は、多くの場合、壁パネル同士を連結して構成されており、そのような場合の壁パネル同士の連結構造として、従来より各種態様のものが提案されている。
【０００３】
【発明が解決しようとする課題】
しかしながら、それらの構造は、連結部において壁面から外方に突出を生じさせるものが多く、そのような突出は室外側に向けておく必要があることから、壁パネル同士の連結作業を室外側から行わなければならず、すぐ背後に他の壁が存在するなどして室外側にパネル同士の連結のための作業スペースを確保できないような場合は、対応が困難であった。
【０００４】
一方、壁パネル同士を連結して形成された壁に対し、電気コンセントの取付けや配線、また配管の取付けを行なうような場合、それらが室内側に突出してしまうという問題もあった。また、壁に収納用などの家具を取り付けるような場合に、壁パネル自体に対し後発的に取付けのための加工を行うと、壁パネルとしての機能が損なわれることから、そのようなこともできないことが多く、家具等の取付けも困難な場合が多かった。
【０００５】
本発明は、上記のような問題に鑑み、壁パネル同士の連結を室内側に突出を生じさせることなく室内側から容易に行うことができ、しかも、室内側における各種の取付けを至便に行うことができるパネル連結式の壁の構造を提供することを課題とする。
【０００６】
【課題を解決するための手段】
上記課題は、隣り合う壁パネルの相対向する周面部間に、連結用の溝型材が、その開口を室内側に向けて介在配置され、この溝型材の中間板部を挟む両側板部がそれぞれ各壁パネルの周面部に結合されて壁パネル同士が連結されてなることを特徴とするパネル連結式の壁の構造によって解決される。
【０００７】
即ち、本構造では、壁パネル同士の連結は、室内側に向けられている溝形材の開口を通じ、溝型材の両側板部を両側の壁パネルの周面部にねじ等の締結部材にて結合することによって、室内側から容易に行うことができる。室内側に突出を生じさせることもない。
【０００８】
しかも、溝型材は、その溝の開口を室内側に向けて備えられているから、この溝型材の溝内の空間部を有効利用して、室内側における各種取付けを至便に行うことができる。
【０００９】
【発明の実施の形態】
次に、本発明の実施形態を図面に基づいて説明する。
【００１０】
本実施形態では、住宅のサニタリーの建築に用いられるプレファブ形式の防水構造体における周囲壁に適用した場合を説明する。
【００１１】
即ち、図７に示すように、この防水構造体１は、床部３と、周囲壁部４と、天井部５とを備え、床部３はその全体が防水パンにて形成されたものである。この防水構造体１の組立ては、床部となる防水パン３の周囲に連結用の柱６…を立設して、その立ち調整をし、そして、柱６…の上端部に、これら柱６…にわたすように天井枠７を取り付ける。しかる後、柱６…間に配置した壁パネル８…，９…を柱６…と連結して周囲壁部４を形成すると共に、天井パネル１０，１０を天井枠７にて位置決めしながら周囲壁部４の上部に固定して取り付けるというようにして行われるものである。
【００１２】
この防水構造体１は、住宅の建物１のサニタリー形成スペース内において、上記のようにして組み立てられることによって住宅の建物に据え付けられるものである。
【００１３】
なお、防水構造体１の内部には、図５及び図６に示すように、出入りのドアを取り付ける開口部を有する仕切り用のパネル１１が取り付けられて、浴室１２と洗面所１３とが形成される。浴室１２内には、浴槽１４が、防水構造体２の防水パン３上の所定の位置に設置され、洗い場１５には、洗い場用の床１６が支持棒１８…にて支持されて防水パン３の上面から所定高さ上方に離間して配設される。また、洗面所１３には、洗面所用の床２０が、支持棒２２…等に支承されて防水パン３の上面から所定高さ上方に離間して配設される。
【００１４】
上記のようなサニタリー用の防水構造体１を住宅の建物１の内部において組み立てる場合、防水構造体１の周囲壁部４の室外側や、天井部５の上方には、建物１の壁が存在し、防水構造体１の周囲壁部４を室外側から形成していくというようなことができない。本発明の壁構造は、まさにこのような場合に好適に用いられるものであって、周囲壁部４を防水構造体１の内部、即ち室内側から容易に形成していくことができるようになされたものである。
【００１５】
即ち、図１及び図２は、上記のような防水構造体１の周囲壁部４に適用した場合のパネル連結式の壁構造を示すもので、隣り合う壁パネル８，８あるいは８，９同士を連結する連結用の柱６…として、鉄系等の金属製の溝型材が用いられている。この溝型材６は、その開口側を防水構造体１の室内側に向けて立てられており、壁パネル８，８は、その側面部がこの溝型材６の中間板部６ａを挟む両側の側板部６ｂ，６ｂの外面と対向されるようにセッイングされている。そして、各壁パネル８，８は、溝型材６の側板部６ｂ，６ｂの内面側、即ち溝型材６の内部側から、ねじ等の締結部材２５にて溝型材６の側板部６ｂ，６ｂに固着されて、防水構造体１の周囲壁部４を形成している。なお、コーナー部には、アングル状の壁パネル９がセッティングされており、これらコーナー部の壁パネル９…を含むすべての壁パネル８…、９…が溝型材６…にて同様の態様において連結されるようになされている。
【００１６】
このように、壁パネル８…，９…を溝型材６の側板部６ｂ，６ｂの内面側から締結部材２５などにて固着して連結する構造であるから、壁パネル８…，９…同士の連結作業を防水構造体１の室内側から行っていくことができる。その場合、室内側に突出を生じさせることもない。また、壁パネル８…，９…のセッティングも、連結用の柱６…を立てた状態で防水構造体１の室内側から行うことができる。
【００１７】
上記のようにして形成された防水構造体１に対し、周囲壁部４の室内側の面には、ケイ酸カルシウム板、タイル板等による壁仕上げ材２３，２４が取り付けられ、室内側に開口していた溝型材６の開口部が隠蔽される。
【００１８】
溝型材６の開口部の存在する位置において壁仕上げ材２３，２４の背部には、溝型材６の溝内空間部６ｃが存在する。この溝内空間部６ｃを各種の取付けに有効利用することができる。図２（ロ）に示す例は、フック等の金物３１を、溝型材６の溝内空間部６ｃを利用して壁仕上げ材２４に取り付けた例である。また、図３（イ）（ロ）に示す例は、電気コンセント３２を溝型材６の溝内空間部６ｃを利用して取り付けた例であり、溝内空間部６ｃ内には配線３３も通されている。また、図４（イ）（ロ）に示す例は、溝型材６の位置に対応して、壁仕上げ材３７に、洗面カウンターを取り付けるための開口部３５が形成され、この開口部３５を通じて金物３６を溝型材６の溝内空間部６ｃ内に突出させるようにしたものである。このように、溝型材６がその開口側を室内側に向けて備えられることによって、その溝内空間部を各種取付けに有効利用することができる。その場合、図３や図４に示すように、溝型材６の開口を覆い得る程度の狭幅の溝内隠蔽専用の帯状壁仕上げ材３７を用いて溝型材６の開口を隠蔽する形式の壁仕上げ構造とすることにより、この専用壁仕上げ材３７のみを交換することで、コスト的に有利に壁を修復でき、また、他の目的での取付けを行うことができる。
【００１９】
以上に本発明の実施形態を示したが、本発明はこれに限定されるものではなく、発明思想を逸脱しない範囲で各種の変更が可能である。例えば、本発明の適用対象は、上記のようなサニタリー用の防水構造体２の周囲壁部４への適用に限られるものではなく、壁パネルを連結して壁を構成する形式の各種壁の構造として広く適用されるものである。また、溝型材を横向きにし、その開口を室内側に向け、上下で隣り合う壁パネル同士を連結していくような場合にも適用が可能である。
【００２０】
【発明の効果】
上述の次第で、本発明のパネル連結式の壁の構造は、隣り合う壁パネルの相対向する周面部間に、連結用の溝型材が、その開口を室内側に向けて介在配置され、この溝型材の中間板部を挟む両側板部がそれぞれ各壁パネルの周面部に結合されて壁パネル同士が連結されてなるものであるから、壁パネル同士の連結を室内側に突出を生じさせることなく室内側から容易に行うことができ、しかも、室内側における各種の取付けを至便に行うことができる。
【図面の簡単な説明】
【図１】サニタリー用のプレファブ防水構造体の周囲壁に適用した場合の実施形態を示すもので、壁パネル、溝型材等を分離状態にして示す斜視図である。
【図２】図（イ）は壁の断面平面図、図（ロ）は壁パネル同士の連結部を拡大して示す断面平面図である。
【図３】電気コンセントの取付け例を示すもので、図（イ）は一部断面分解斜視図、図（ロ）は断面平面図である。
【図４】洗面カウンターの取付け例を示すもので、図（イ）は一部断面分解斜視図、図（ロ）は断面平面図である。
【図５】図（イ）はサニタリーの断面正面図である。
【図６】同断面平面図である。
【図７】建物と防水構造体、及び、防水構造体の構成材を互いに分離状態にして示す斜視図である。
【符号の説明】
６…柱（溝型材）
６ａ…中間板部
６ｂ…側板部
８…壁パネル
９…壁パネル
【図１】
0003966980.tif 000002
【図２】
0003966980.tif 000003
【図３】
0003966980.tif 000004
【図４】
0003966980.tif 000005
【図５】
0003966980.tif 000006
【図６】
0003966980.tif 000007
【図７】
0003966980.tif 000008